(57)【要約】      （修正有）【課題】和室にも洋室にもなじみ、太陽光の直接侵入を緩和し、断熱性を向上させた、日本の住戸に適した窓や戸の素材となる減光遮熱パネルを提供する。【解決手段】引き戸は、等間隔かつ互いに平行に配された細長い同形のスラット１２が二枚のパネル１１を離間させるように介在し、断面において平行四辺形が連接するようにパネル１１から見てスラット１２を斜めに傾けて構成した、合成樹脂製の中空ボードと、中空であって一方向に長い四角柱部２５と、四角柱部２５の長手の平行な二面（前面２５１，後面２５２）が同じ側に所定幅延伸してボード側面２５３とともに溝を形成する前縁面２６および後縁面２７と、により構成されスラット１２端部を溝によりくわえ込む、合成樹脂により一体成形された枠と、四角柱部２５に挿入したわみを抑制する金属芯３０と、を具備する。【選択図】図２
0003219887.tif 000002
【実用新案登録請求の範囲】
【請求項１】
等間隔かつ互いに平行に配された細長い同形の短冊体が二枚のパネル体を離間させるように介在し、断面において平行四辺形が連接するようにパネル体から見て短冊体を斜めに傾けて構成した、合成樹脂製の中空ボードと、
中空であって一方向に長い角柱部と、角柱部の長手の平行な二面が同じ側に所定幅延伸して角柱部の当該側の側面とともに溝を形成する縁面部と、により構成され中空ボードの短冊体端部側を当該溝によりくわえ込む、合成樹脂により一体成形された枠部材と、
角柱部に挿入したわみを抑制するＬ字アングル、Ｃ字チャネル、角柱その他の金属部材と、
を具備したことを特徴とする減光遮熱パネル。
【請求項２】
縁面部の二面の端部にはそれぞれ内側に向けたシールリップが形成され、または、縁面部の二面は幅方向に向けて幅狭に形成され、縁面部が中空ボードに密着することを特徴とする請求項１に記載の減光遮熱パネル。
【請求項３】
短冊体は白色であってパネル体は透明であることを特徴とする請求項１または２に記載の減光断熱パネル。
【請求項４】
中空ボードの合成樹脂はポリカーボネート樹脂、アクリル樹脂、ポリエチレン、ポリプロピレン、ポリ塩化ビニル、または、ポリエステルであることを特徴とする請求項１〜３のいずれか一つに記載の減光遮熱パネル。
【考案の詳細な説明】
【技術分野】
【０００１】
本考案は、近年の住環境に合致するドア、引き戸、採光窓、仕切りとして利用できる減光遮熱パネルに関する。
【背景技術】
【０００２】
近年、マンションや新築家屋では機密性高く、効率的に冷暖房ができる部屋作りがなされている。また、マンションでも洋風家屋でも一定の和風構造が取り入れられ、ドア、引き戸、採光窓などにその影響が見られる場合がある。
【０００３】
一方、日本の風土では夏は暑く、冬は寒く、時に多湿でもあるため、採光しつつ断熱性のある窓等が望まれている。
【先行技術文献】
【特許文献】
【０００４】
【特許文献１】特開２０１４−８４７０９号公報
【考案の概要】
【考案が解決しようとする課題】
【０００５】
本考案は、上記に鑑みてなされたものであって、和室にも洋室にもなじみ、太陽光の直接侵入を緩和し、断熱性を向上させた窓や戸の素材を提供することを目的とする。
【課題を解決するための手段】
【０００６】
請求項１に記載の減光遮熱パネルは、等間隔かつ互いに平行に配された細長い同形の短冊体が二枚のパネル体を離間させるように介在し、断面において平行四辺形が連接するようにパネル体から見て短冊体を斜めに傾けて構成した、合成樹脂製の中空ボードと、中空であって一方向に長い角柱部と、角柱部の長手の平行な二面が同じ側に所定幅延伸して角柱部の当該側の側面とともに溝を形成する縁面部と、により構成され中空ボードの短冊体端部側を当該溝によりくわえ込む、合成樹脂により一体成形された枠部材と、角柱部に挿入したわみを抑制するＬ字アングル、Ｃ字チャネル、角柱その他の金属部材と、を具備したことを特徴とする。
【０００７】
請求項１に係る考案は、ブラインド様構造を有するパネルにより直射日光の進入を反射し、また、障子紙との間で空気層を形成するので断熱性の高まったパネルを提供できる。また、中空ボード自体にも空気層があるので、断熱効果がより高まる。加えて、枠により堅牢性を保ちつつ、樹脂製すなわち相対的に軽量であって後施工にもかない、汎用性に優れる。
【０００８】
中空ボードの厚みは適宜設定できるが、例えば、５ｍｍとすることができる。
短冊体の帯幅は８ｍｍ傾斜は約３０°、短冊体同士の間隔は６ｍｍとする例を挙げることができる。
なお、中空ボードは一体成形によりえられるものであってもよい。中空ボードは有色透明であっても無色透明であっても、後述するように、短冊体部分が白色、残余は無色透明とするようにしてもよい。
枠部材は中空ボードの上下にも嵌合させて四辺の縁取りに調和を持たせることが好ましい。
金属部材と枠部材とは、ネジ等で合着させてもよいが一体化させる態様は特に限定されない。
【０００９】
請求項２に記載の減光遮熱パネルは、請求項１に記載の減光遮熱パネルにおいて、縁面部の二面の端部にはそれぞれ内側に向けたシールリップが形成され、または、縁面部の二面は幅方向に向けて幅狭に形成され、縁面部が中空ボードに密着することを特徴とする。
【００１０】
請求項３に記載の減光遮熱パネルは、請求項１または２に記載の減光断熱パネルにおいて、短冊体は白色であってパネル体は透明であることを特徴とする。
【００１１】
請求項３に係る考案は、質感高く、和風家屋でも洋風家屋でも調和し違和感のない窓等を提供できる。
【００１２】
請求項４に記載の減光遮熱パネルは、請求項１〜３のいずれか一つに記載の減光遮熱パネルにおいて、中空ボードの合成樹脂はポリカーボネート樹脂、アクリル樹脂、ポリエチレン、ポリプロピレン、ポリ塩化ビニル、または、ポリエステルであることを特徴とする。
【００１３】
請求項４にかかる考案は、質感も高く、難燃もしくは傷つきにくい窓等を提供することが可能となる。
【考案の効果】
【００１４】
本考案によれば、和室にも洋室にもなじみ、太陽光の直接侵入を緩和し、断熱性を向上させた、日本の住戸に適した窓や戸を提供することが可能となる。
【図面の簡単な説明】
【００１５】
【図１】本考案の遮光断熱パネルを用いた引き戸の正面図である。
【図２】引き戸の隅を示した分解斜視図である。なお、竪桟の描画は省略している。
【考案を実施するための形態】
【００１６】
本実施の形態では、マンションにおける引き戸の例について説明する。
図１は、本考案の遮光断熱パネルを用いた引き戸の正面図である。図２は、引き戸の隅を示した外観斜視図である。なお、説明の便宜上各構成の比率や縮尺は考案の理解に資するべく必要に応じて異ならせて描画している。
【００１７】
引き戸１は、大きく、中空ボード１０と、枠２０と、芯３０と、により構成される。
【００１８】
中空ボード１０は、長方形の同形の二枚のパネル１１とパネル１１間に介在する多数の短冊状のスラット１２とが一体成形されたポリカーボネート中空板である。
【００１９】
スラット１２は、等間隔であって互いに平行で長手が水平に向いており（枠２０の上辺または下辺に平行であり）図２に示した様に短手には一方に傾いている。別の見方をすればパネル１１とスラット１２とにより中空ボード１０の断面は平行四辺形が連接した構造となっているともいえる。
【００２０】
中空ボード１０は、パネル１１部分は無色透明であって、スラット１２部分は白色透明に構成されている。本実施の形態では、平面視において、無色透明面積：白色透明面積＝１：２となるようなスラット１２の傾斜としている。
【００２１】
大きさは、一例として、ここでは、パネル１１とスラット１２の厚みは０．７ｍｍ、パネル１１の間隔は６ｍｍ、傾斜角度約２７°（スラット１２の植設間隔約８ｍｍ）としている。
また、中空ボード１０の寸法は、引き戸に好適な大きさとしており、ここでは、幅９０ｃｍ×高さ１３０ｃｍとしている。
【００２２】
枠２０は、上桟２１と、下桟２２と、左右の竪桟２３と、により構成される。これらは一体成形された硬質ポリ塩化ビニル製であって同一部材を切り出して長さが異なるだけである。上桟２１と下桟２２と竪桟２３を総称して桟２４と称することとする。
【００２３】
桟２４は、中空であって一方向に長い四角柱部２５を基調とし、このうちの向かい合う二面（前面２５１および後面２５２）が幅方向（ボード側面２５３方向）に延伸し前縁面２６と後縁面２７とを形成する。この前縁面２６と後縁面２７とボード側面２５３とで溝２８が形成され、溝２８に中空ボード１０をくわえ込ませ（差し込ませ）、上下左右の四本で枠２０が形成される。なお、前縁面２６と後縁面２７の先端はＬ字に折れ曲がったシールリップ２６１および２７１が形成されており、中空ボード１０が枠２０と密接し気密性を高めている。同様に、前縁面２６と後縁面２７の内側面には対向するように保持突条２６２および２７２が形成されており、中空ボード１０をまっすぐ差し込むことができ、かつ、接触部分の摩擦力により外れにくくなっている（この保持作用はシールリップ２６１と２７１でも発揮される）。
また、四角柱部２５の外側の面を外側面２５４と称することとする。
【００２４】
大きさは、一例として、ここでは、各部の厚みを２ｍｍとしている。
また、桟２４の寸法は、四角柱部２５の幅は１２ｍｍ（前面２５１、後面２５２，外側面２５４の幅がそれぞれ１２ｍｍ、ボード側面２５３の幅は８ｍｍ）、前縁面２６と後縁面２７の幅は２５ｍｍ、シールリップ２６１、２７１の幅は２ｍｍ、立ち上がり高さは１．５ｍｍとしている。保持突条２６２，２７２の幅は２ｍｍ、立ち上がり高さは１ｍｍとしている。なお、竪桟２３の長さは１３２ｃｍ、上桟２１下桟２２の長さは８５ｃｍとしている。
【００２５】
芯３０は、Ｌ字ステンレス鋼であり、一辺８ｍｍ、厚み２ｍｍであって、桟２４の四角柱部２５内に差し込む。
【００２６】
引き戸１の組み立ては次の通りである。
まず、中空ボード１０の左右に、竪桟２３をはめ込む。なお、シールリップ２６１および２７１と保持突条２６２と２７２の摩擦力により竪桟２３は中空ボード１０にしっかりはまり込み保持される。
次に、竪桟２３に芯３０を挿通し補強する（引き戸１がたわまないようにする）。このとき、適宜接着剤により両者を合着させてもよい。
続いて、上桟２１と下桟２２に芯３０を挿通する。同様に適宜接着剤により両者を合着させてもよい。
最後に、上桟２１と下桟２２を中空ボード１０にはめ込み、引手４０を接着し引き戸１が完成する。
【００２７】
引き戸１は以上の構成であるので、次の作用効果を奏する。
・中空ボードの白色透明部分で減光するので夏場などの直射日光の進入を軽減する。
・中空ボードは白色透明な部分はもとより無色透明部分もポリカーボネート製であるので、赤外光や紫外光のカット作用があり、素材的な遮熱効果を奏する。
・白色透明部分が斜めとなっているので、光を反射し、構造的な遮熱効果を奏する。特に、スラットが下に傾斜している側を日光の進入側（屋外側）に向けて設置すると好適である。
・中空ボード自体がその構造に基づき断熱効果を有し、夏場の室内冷房、冬場の室内暖房の効果を維持しやすい。
・半透明および透明部分により、外の気配は依然として知得でき、住環境に好適である。
・３パーツからなり、軽量であって、かつ、簡単な切り出しおよびはめ込みのみによって引き戸を得られるので、専門技術なしに引き戸を作ることができる。
【００２８】
なお、引き戸の態様は上記の例に限定されない。たとえば、スラット部分も無色透明にしても良いし、白色以外の有色透明とすることもできる。また、スラット部分もしくは全体を有色不透明としてもよい。平面視において、スラットが重なり合うようにしてもよい。
【００２９】
また中空ボードは、ポリカーボネートでなく、アクリル樹脂、ポリエチレン、ポリプロピレン、ポリ塩化ビニル、または、ポリエステル製としてもよい。適宜助剤を混和することにより、赤外線領域の遮光性を高めたり難燃性を高めたりするようにしてもよい。
【００３０】
シールリップにかえて、縁面の２面を端部に行くにつれて幅狭として中空ボードに密着させるようにしてもよい。また、保持突条も１組でなく２組以上あってもよい。
【産業上の利用可能性】
【００３１】
なお、以上は引き戸として説明したが、はめ込み窓としても利用可能であり、このほか、開き戸や間仕切、出窓などの要素としても利用できる。
既存の住戸に対して後施工でサッシュ代替パネルとすることもできる。
すなわち本考案によれば、和室にも洋室にもなじみ、太陽光の直接侵入を緩和し、断熱性を向上させた、日本の住戸に適した窓や戸の素材を提供することが可能となる。
【符号の説明】
【００３２】
１        引き戸
１０     中空ボード
１１     パネル
１２     スラット
２０     枠
２４     桟（２１：上桟，２２：下桟，２３：竪桟）
２５     四角柱部（２５１：前面，２５２：後面，２５３：ボード側面，２５４：外側面）
２６     前縁面（２６１：シールリップ，２６２：保持突条）
２７     後縁面（２７１：シールリップ，２７２：保持突条）
２８     溝
３０     芯
４０     引手
【図１】
0003219887.tif 000003
【図２】
0003219887.tif 000004